(57)【要約】【課題】釣糸の外径や材質に左右されることなく、釣糸を適切かつ安定した緊張状態に保つことのできる釣糸用編込機を提供する。【解決手段】釣糸用編込機１０は、平板状のベース部材２０上に立設された一対の主アーム１１，１２と、互いに接近離隔する方向に傾斜角度を変更可能な状態で主アーム１１，１２の上端部に連接された副アーム１３，１４と、スプール３９，４９を回転可能に保持するため副アーム１３，１４の上端部にそれぞれラチェット機構１５，１６を介して軸支された保持部１７，１８と、保持部１７，１８を回転させることにより、一方の保持部１７（１８）に保持されたスプール３９（４９）から他方の保持部１８（１７）に保持されたスプール４９（３９）へ釣糸Ｓ１を移動させたときその移動距離を表示する計測手段１９と、を備えている。【選択図】図１
2012055265.tif 000002
【特許請求の範囲】
【請求項１】
ベース部材に立設された一対の主アームと、互いに接近離隔する方向に傾斜角度を変更可能な状態で前記主アームに連接された副アームと、釣糸巻回具を回転可能に保持するため前記副アームにラチェット機構を介して軸支された保持部と、前記保持部を回転させることにより、一方の前記保持部に保持された釣糸巻回具から他方の前記保持部に保持された釣糸巻回具へ釣糸を移動させたときその移動距離を表示する計測手段と、を備えたことを特徴とする釣糸用編込機。
【請求項２】
前記計測手段として、前記保持部の回転数を検出するカウンタと、前記カウンタで検出された回転数に基づいて釣糸の移動距離を算出する演算機構と、を設けたことを特徴とする請求項１記載の釣糸用編込機。
【発明の詳細な説明】
【技術分野】
【０００１】
本発明は、鮎釣り用仕掛けなどを作る過程において、金属糸などの接続部、目印、鼻カン回り、天井糸の移動部位などの編込作業を行うときの補助手段として使用する釣糸用編込機に関する。
【背景技術】
【０００２】
鮎釣り用仕掛けなどを作る過程において使用する釣糸用編込機については、従来、様々な形式、機能を有するものが提案されているが、ベース部材上に一定間隔をおいて立設された一対のアーム間に釣糸を掛け渡し、それぞれのアームに設けられた保持手段によって釣糸を緊張状態に保持するものが代表的である（例えば、特許文献１〜３参照。）。
【０００３】
一方、比較的大きな釣針を使用した仕掛けを作る過程において、釣針に釣糸を結びつけるときに強い緊締力を与えることのできる緊締装置が提案されている（例えば、特許文献４参照。）。
【先行技術文献】
【特許文献】
【０００４】
【特許文献１】実用新案登録第３１２４６３６号公報
【特許文献２】特開平１０−２１０９０８号公報
【特許文献３】特開平９−２０５９５７号公報
【特許文献４】特開２００９−１６５４５８号公報
【発明の概要】
【発明が解決しようとする課題】
【０００５】
特許文献１〜３などに記載されている従来の釣糸用編込機は、釣糸の少なくとも一箇所を挟持部材間に挟持して引張力を与えることによって釣糸を緊張状態に保持する構成となっている。このため、挟持部材による挟持力が弱いと、編込作業中に釣糸が徐々に緩んでくることがあり、挟持力が強すぎると、釣糸が損傷したり、切れたりすることがある。
【０００６】
特に、細径の釣糸や金属製の釣糸などに編込を行う場合、前述した現象が顕著に現れるため、釣糸を適切な緊張状態に保つことが極めて困難であり、編込作業を阻害する大きな要因となっている。
【０００７】
本発明が解決しようとする課題は、釣糸の外径や材質に左右されることなく、釣糸を適切かつ安定した緊張状態に保つことのできる釣糸用編込機を提供することにある。
【課題を解決するための手段】
【０００８】
本発明に係る釣糸用編込機は、ベース部材に立設された一対の主アームと、互いに接近離隔する方向に傾斜角度を変更可能な状態で前記主アームに連接された副アームと、釣糸巻回具を回転可能に保持するため前記副アームにラチェット機構を介して軸支された保持部と、前記保持部を回転させることにより、一方の前記保持部に保持された釣糸巻回具から他方の前記保持部に保持された釣糸巻回具へ釣糸を移動させたときその移動距離を表示する計測手段と、を備えたことを特徴とする。
【０００９】
ここで、前記計測手段として、前記保持部の回転数を検出するカウンタと、前記カウンタで検出された回転数に基づいて釣糸の移動距離を算出する演算機構と、を設けることが望ましい。
【発明の効果】
【００１０】
本発明により、釣糸の外径や材質に左右されることなく、釣糸を適切かつ安定した緊張状態に保つことのできる釣糸編込機を提供することができる。
【図面の簡単な説明】
【００１１】
【図１】本発明の実施形態である釣糸用編込機を示す正面図である。
【図２】図１における矢線Ａ−Ａ方向から見た図である。
【図３】図１における矢線Ｂ−Ｂ方向から見た図である
【図４】図３における矢線Ｃ−Ｃ方向から見た図である。
【図５】図２に示す釣糸用編込機の一部を分解した状態で示す図である。
【図６】図１に示す釣糸用編込機の一部省略図である。
【発明を実施するための形態】
【００１２】
図１〜図４に示すように、本実施形態の釣糸用編込機１０は、平板状のベース部材２０上に立設された一対の主アーム１１，１２と、互いに接近離隔する方向に傾斜角度を変更可能な状態で主アーム１１，１２の上端部に連接された副アーム１３，１４と、釣糸巻回具の一つであるスプール３９，４９を回転可能に保持するため副アーム１３，１４の上端部にそれぞれラチェット機構１５，１６を介して軸支された保持部１７，１８と、保持部１７，１８を回転させることにより、一方の保持部１７（１８）に保持されたスプール３９（４９）から他方の保持部１８（１７）に保持されたスプール４９（３９）へ釣糸Ｓ１を移動させたときその移動距離を表示する計測手段１９と、を備えている。ベース部材２０の底面にはゴムシート２０ａが貼着されている。
【００１３】
図２，図３に示すように、副アーム１３，１４は、主アーム１１，１２の上端部の背面側に突設されたアーム軸１１ａ，１２ａに回動自在に軸支され、ワッシャ２７を挟んでアーム軸１１ａ，１２ａの先端側に螺着されたナット２６を締め付けることによって一定姿勢に固定することができる。副アーム１３，１４の上端部にはラチェット機構１５，１６が着脱可能に取り付けられ、保持部１７，１８は、それぞれの支軸１７ａ，１８ａがラチェット軸１５ａ，１６ａと同軸上で一体化する状態に取り付けられている。副アーム１３，１４の上端部寄りの部分には、正面側へ突出した段差部１３ａ，１４ａが設けられている。ナット２６を緩めれば、副アーム１３，１４はアーム軸１１ａ，１２ａを中心に、段差部１３ａ，１４ａが主アーム１１，１２の上端部側の外周面に当接しない範囲内で回動可能である。
【００１４】
図２に示すように、アーム１１側の保持部１７は、ギア３５、ゴムシート３８付きの固定部材３７、ゴムシート４０付きの押圧部材４１及びナット４２を備えている。ギア３５、固定部材３７は支軸１７ａに一体的に固着され、押圧部材４１は支軸１７ａに着脱可能に取り付けられ、ナット４２は支軸１７ａの先端側から螺着される。固定部材３７のゴムシート３８面と押圧部材４１のゴムシート４０面との間にスプール３９を挟むようにセットし、ナット４２を締め付ければ、スプール３９は保持部１７と一体化した状態となる。この状態で押圧部材４１の正面側に設けられたハンドル４３を手動で回転させると、保持部１７及びスプール３９が一体的に回転する。
【００１５】
ラチェット機構１５の背面側には、計測手段１９がブラケット３３を介して副アーム１３に取り付けられ、計測手段１９の計測ギア３６が保持部１７のギア３５に噛み合わされている。計測手段１９内には、保持部１７の回転数を検出するカウンタ１９ｃと、カウンタ１９ｃで検出された回転数に基づいて釣糸Ｓの移動距離を算出する演算機構１９ｂと、演算機構１９ｂの算出値を表示する表示部１９ａと、表示部１９ａの表示値をゼロにするリセットダイヤル１９ｄと、を備えている。
【００１６】
主アーム１１，１２の正面側には、釣糸Ｓ２を着脱可能に挟持する挟持部２１，２２が設けられている。挟持部２１，２２は、主アーム１１，１２の正面側に突設された支軸１１ｂ，１２ｂと、支軸１１ｂ，１２ｂにそれぞれ着脱可能に取り付けられたゴムブッシュ２８、挟持部材２９，３０、ワッシャ３２及びナット３１を備えている。ナット３１を緩めると挟持部材２９，３０の隙間が開き（図５参照）、ナット３１を締め付けると挟持部材２９，３０の隙間が閉じる。従って、挟持部材２９，３０の隙間に釣糸Ｓ２を挟み込んでナット３１を締め付ければ、ゴムブッシュ２８の復元作用により、釣糸Ｓ２に弾性押圧力を加えた状態で挟持することができる。
【００１７】
釣糸編込機１０においては、挟持部２１，２２の支軸１１ｂ，１２ｂを、それぞれアーム軸１１ａ，１２ａと同軸上に配置することにより、挟持部２１，２２を主アーム１１，１２と副アーム１３，１４との連接部分に設けているが、これに限定するものではないので、主アーム１１，１２若しくは副アーム１３，１４に挟持部２１，２２を設けることもできる。
【００１８】
図３に示すように、主アーム１２側の保持部１８の構造は、図２に示す主アーム１１側の保持部１７の計測手段１９、ブラケット３３及びギア３５を省いたものであるため、共通する部材には同符号を付して説明を省略する。
【００１９】
図４に示すように、ラチェット機構１６の背面側には切替レバー１６ｂが設けられ、この切替レバー１６を片方に傾けた位置にセットすると、スプール４９から釣糸Ｓ１が繰り出される方向Ｒ１のみに保持部１８が回転可能となり、他方に傾けた位置にセットすると、スプール４９に釣糸Ｓ１が巻き取られる方向Ｒ２のみに保持部１８が回転可能となる。主アーム１１側のラチェット機構１５もラチェット機構１６と同様の構造、機能を有している。
【００２０】
次に、図１，図５，図６に基づいて、釣糸編込機１０の使い方を説明する。図１，図５，図６に示すように、主アーム１１，１２の保持部１７，１８のナット４２を緩めて押圧部材４１を取り外すことにより露出状態となった支軸１７ａ，１８ａにそれぞれスプール３９，４９を取り付け、押圧部材４１を支軸１７ａ，１８ａに再装着し、ナット４２を締め付けると、スプール３９，４９が保持部１７，１８に一体的に固定される。なお、ナット４２は押圧部材４１に対し、回動自在に係止されているので、図５に示すように、支軸１７ａから押圧部材４１を取り外したときに、ナット４２が押圧部材４１から外れることはない。
【００２１】
また、ナット２６を緩め、主アーム１１，１２に対する副アーム１３，１４の固定角度を変更すれば、作業条件に応じて、保持部１７，１８間の距離を調整することができる。従って、例えば、保持部１７，１８同士が互いに離れる方向に副アーム１３，１４を傾動させ、副アーム１３，１４をフルオープン状態とすれば、挟持部２１，２２の間に釣糸Ｓ２を保持し、主アーム１１，１２の間で編込作業などを行う場合の作業性が良好となる。
【００２２】
この後、スプール３９，４９にそれぞれ釣糸Ｓ１が巻き取られる方向のみに保持部１７，１８が回転可能となるようにラチェット機構１５，１６をセットし、ハンドル４３を巻き取り方向に回転させ、釣糸Ｓ１に張力を付与すれば、釣糸Ｓ１は適切かつ安定した緊張状態に保持されるので、釣糸Ｓ１に対する編込作業を容易に行うことができる。また、編込作業中に釣糸Ｓ１が緩んだときは、ハンドル４３を巻き取り方向に回転させるだけで、釣糸Ｓ１を再び適切な緊張状態にすることができる。
【００２３】
このように、釣糸編込機１０は、釣糸Ｓ１を挟持することなく、釣糸Ｓ１に張力を付与することができるので、釣糸Ｓ１が損傷したり、切れたりすることがなく、また、釣糸Ｓ１の外径や材質に左右されることなく、釣糸Ｓ１を適切かつ安定した緊張状態に保つことができる。
【００２４】
一方、編込作業の進行に伴い、釣糸Ｓ１を一方のスプール３９（４９）へ巻き取る必要が生じたときは、他方のスプール４９（３９）のラチェット機構１６（１５）を繰り出し方向へ回転可能な状態に切り替え、保持部１７（１８）のハンドル４３を巻き取り方向へ回転させればよい。このときの、釣糸Ｓ１の移動距離は、カウンタ１９ｃで検出された回転数に基づいて演算機構１９ｂで算出された長さ単位の数値として、計測手段１９の表示部１９ａに表示されるので、目印などの編込間隔を希望通りに設定することができる。
【００２５】
前述した、釣糸Ｓ１の移動が終わったら、スプール４９（３９）のラチェット機構１６（１５）を巻き取り方向のみに回転可能な状態に切り替え、保持部１７（１８）のハンドル４３を巻き取り方向へ回転させれば、釣糸Ｓ１を適切な緊張状態に戻すことができるので、編込作業の続行も容易である。なお、釣糸編込機１０を使用した後、ナット２６を緩めて、副アーム１３，１４を互いに接近する方向へ回動させて折り畳めば、外形サイズが小さくなるので、収納性や持ち運び性が向上する。
【産業上の利用可能性】
【００２６】
本発明の釣糸編込機は、鮎釣り用仕掛けなどを作る過程において、金属糸などの接続部、目印、鼻カン回り、天井糸の移動部位などの編込作業を行うときの作業補助具として広く利用することができる。
【符号の説明】
【００２７】
１０  釣糸編込機
１１，１２  主アーム
１１ａ，１２ａ  アーム軸
１１ｂ，１２ｂ，１７ａ，１８ａ  支軸
１３，１４  副アーム
１３ａ，１４ａ  段差部
１５，１６  ラチェット機構
１５ａ，１６ａ  ラチェット軸
１６ｂ  切替レバー
１７，１８  保持部
１９  計測手段
１９ａ  表示部
１９ｂ  演算機構
１９ｃ  カウンタ
１９ｄ  リセットダイヤル
２０  ベース部材
２０ａ  ゴムシート
２１，２２  挟持部
２６，３１，４２  ナット
２７，３２  ワッシャ
２８  ゴムブッシュ
２９，３０  挟持部材
３３  ブラケット
３５  ギア
３６  計測ギア
３７  固定部材
３８，４０，４６  ゴムシート
３９，４９  スプール
４１  押圧部材
４３  ハンドル
【図１】
2012055265.tif 000003
【図２】
2012055265.tif 000004
【図３】
2012055265.tif 000005
【図４】
2012055265.tif 000006
【図５】
2012055265.tif 000007
【図６】
2012055265.tif 000008